【事件の表示】
　平成１０年特許願第３１５３６８号「多重ブリッジ形接合部を有する内視鏡手術用プロテーゼ」拒絶査定不服審判事件〔平成１１年８月１７日出願公開、特開平１１−２２１２８８号〕について、次のとおり審決する。
【結　論】
　本件審判の請求は、成り立たない。
【理　由】
１．手続の経緯  
　本願は、平成１０年１０月２０日（パリ条約による優先権主張１９９７年１０月２１日、米国）の出願であって、平成２０年１月３０日付けで拒絶査定がなされ、これに対して、同年３月２６日に拒絶査定不服審判の請求がなされるとともに、同日付けで特許請求の範囲の手続補正がなされたものである。  
 　  
２．平成２０年３月２６日付けの手続補正についての補正却下の決定  
(2-1)［補正却下の決定の結論］  
　平成２０年３月２６日付けの手続補正（以下、「本件補正」という。）を却下する。  
［理由］  
　本件補正は、補正前の請求項１の記載を、以下で示す補正後の請求項１の記載にすることを含むものである。 
「拡張していない管腔移動挿入用の周面と、この拡張していない周面より大きく、展開され拡張した周面とを備える埋設可能な管腔移動内視鏡手術用プロテーゼであって、
　複数の真円形螺旋セクションを有するチューブ状部材であって、前記螺旋セクションが、３６０度周回し、このチューブ状部材の螺旋軸に沿って互いに連続する、チューブ状部材を含み、
　このチューブ状部材は、
多孔性を有する表面または非血栓剤で覆われており、
　前記複数の真円形螺旋セクションは互いに隣接し、この隣接する真円形螺旋セクションの前記曲げ可能な接続部の各々は、隣接する曲げ可能な接続部を定めるようにそれぞれ互いに隣接し、
　前記曲げ可能なセグメントは、前記拡張していない周面において互いに閉じた方位を向いて位置し、前記拡張した周面において互いに及び前記曲げ可能な接続部に対して開いた方位を向いて位置し、
　複数のブリッジ接合部が前記隣接する真円形螺旋セクションの隣接する曲げ接合部の一部を互いに接合し、前記ブリッジ接合部はチューブ状部材の長さ方向に沿って存在し、前記真円形螺旋セクションはそれぞれ、前記ブリッジ接合部のうち少なくとも一個を有し、前記隣接する曲げ可能な接合部の残りは互いに結合されず、
　前記ブリッジ接合部は、前記内視鏡手術用プロテーゼを形成する金属製またはポリマー製のチューブからパターン付けされた部分を取り除くことにより得られる、内視鏡手術用プロテーゼ。」（下線部は補正箇所を示す。）
　
　上記補正における請求項１の補正事項は、補正前の「このチューブ状部材は、前記螺旋軸に従う波形の繰り返しパターンを含み」を、補正後の「このチューブ状部材は、多孔性を有する表面または非血栓剤で覆われており、前記螺旋軸に従う波形の繰り返しパターンを含み」にするものである。
　これは、「チューブ状部材」に関して、補正により「多孔性を有する表面または非血栓剤で覆われており、」との事項を付加することで、チューブ状部材の形態を具体的に限定するものであり、
　かつ、補正後の請求項１に記載された発明は、補正前の請求項１に記載された発明と、産業上の利用分野及び解決しようとする課題が同一であるので、 
　本件補正は、平成１８年法律第５５号改正附則第３条第１項によりなお従前の例によるとされる同法による改正前の特許法第１７条の２第４項第２号の特許請求の範囲の減縮を目的にするものに該当する。 
　そして、本件補正は、新規事項を追加するものではない。
　そこで、本件補正後の前記請求項１に記載された発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に違反しないか）について以下に検討する。 
 　  
(2-2)引用例の記載事項  
　原査定の拒絶理由で引用した英国特許出願公開第２２８１８６５号明細書（以下、「引用例」という。）には、以下の記載がある。  
(a)明細書第５頁第２１から２５行
「Another object of the present invention is to provide endoprostheses and manufacture thereof while tailoring same for desired end uses, including vascular, bronchial, tracheal, urological, rectal, transinterhepactic shunting, bilary tree, and the like.」
『本発明のさらに他の目的は、血管、気管支、器官、泌尿器、直腸、肝臓バイパス、胆管等所望の最終目的のために適合する体内用プロテーゼおよびその製造方法を提供することである。』（『』内は当審による仮訳。以下同じ。）
　
(b)明細書第７頁第２６行〜同第９頁１３行
「With more particular reference to the endoprosthesis 21, the illustrated embodiments include a strand of metal or polymer which exhibits  malleability adequate to be formed into shapes such as those illustrated, retain those shapes, and expand as discussed herein when subjected to radial outwardly directed forces. In the illustrated embodiment, the strand is formed into bendable segments to provide a repeating pattern of undulations. The undulating strand is shaped into a plurality of full circle windings 24 that are wrapped through 360°. Each winding includes a plurality of bendable segments 25.  Each bendable segment includes legs 26 joined by a connecting portion 27. In the embodiment shown in the drawings, legs 26 and connecting portions 27 define a sinusoidal curve which can be shaped as illustrated in the drawings or take on somewhat different shapes.  In this regard, and with regard to the manner in which the undulating winding can be formed, reference is made to Pinchuk U.S. Patent No. 5,019,090, the subject matter thereof being incoreporated by reference hereinto.
　　A plurality of welds 28 join adjacent pairs of connecting portions 27. In accordance with the invention, at least one weld 28 joins each winding 24 to the winding or winding adjacent thereto. While the helix winding angle A of the windings as shown in Fig. 2 is relatively steep with respect to the longitudinal axis of the endoprosthesis 21, the pitch angle B of the plurality of welds 28 is relatively shallow. It will be noted that pitch angle B follows the pitch angle defined by adjacent connecting portions 27 of adjacent windings 24. Accordingly, the pitch angle B of the illustrated helical weld pattern follows the pitch angle of the wrapped helix that is defined by adjacent connecting portion pairs. As perhaps best illustrated in Fig. 4, this embodiment includes two such generally helical weld patterns which generally parallel each other and which are longitudinally spaced for one another.
　　It will be noted from Fig. 3 that, after expansion, the overall length of the endoprosthesis 21 is decreased, while the helix winding angle A' is steeper than that of the helix winding angle A prior to expansion, and the pitch angle B' after expansion is steeper than the pitch angle B prior to expansion.  For example, a particular size of such an endoprosthesis can have an unexpanded diameter of 8mm and an unexpanded length of 3cm. After a typical expansion to 12mm, its length is about 2.7cm, with the helix winding angle and pitch angle being changed accordingly.
　　It will further be noted that each of the bendable segments 25 has opened up to substantially the same extent, with each leg 26 being spaced farther from each of its adjoining legs than prior to expansion, this opened spacing being substantially uniform throughout each winding of the endoprosthesis. Each weld 28 remains along the helical pathway even after the endoprosthesis is expanded. This can be generally referred to as sinusoidal expansion which the invention achieves even with pleated balloons that can tend to cause non-sinusoidal expansion of other stents such as non-welded stents or more rigidly joined stents, wherein one leg of the bendable segment expands readily while its other leg movement is dampened.」
『特に体内用プロテーゼ２１は、図示された態様におけるように、金属製またはポリマー製のストランドを含み、図示されている様々な形状になることができるように十分な順応性を有し、この形状を維持し、ここで示されているように、径方向外側に向かう力が加えられたときは拡張する。図示の態様において、ストランドは、波形の繰り返しパターンをつくるため、曲げることのできるセグメントを有する。波形ストランドは、３６０度巻かれている複数の周円ワインデイング２４から形成されている。各ワインデイングは、複数の曲げ可能なセグメント２５を含む。各セグメントは、接続部２７を介して接合される脚２６を有する。図示の態様において、脚２６と接続部２７は、図に示したようなシヌソイド曲線乃至これを幾分変形した形をしている。これに関して、また波形のワインデイングが形成される方法に関して、Pinchukによる米国特許5,019,090号を参照することができる。
　各接合部２８は、隣接する接続部２７の対を一体に接合する。本発明によれば、少なくとも１個の接合部２８は、隣接するワインデイング２４同士を接合する。図２に示す各ワインデイングの螺旋の巻回角Ａは、体内用プロテーゼ２１の軸に対して比較的急で、他方、複数の接合部２８のピッチ角Ｂは、比較的浅い。ピッチ角Ｂは、隣接するワインデイング２４の隣接する接続部２７によって規定されるピッチ角に従うことが分かるであろう。したがって、複数の接合部からなる螺旋パターンのピッチ角Ｂは、隣接する接続部の対によって規定される螺旋のピッチ角に従う。多分図４に最もよく表されているように、この態様は、互いにほぼ平行で、互いに軸方向に離隔した二つの上記螺旋パターンを含む。
　図３から、拡張後は、体内用プロテーゼ２１の全長は減少し、他方、螺旋の巻回角Ａは、拡張前の螺旋の巻回角Ａよりも急になる。また、拡張後のピッチ角Ｂも、拡張前のピッチ角Ｂよりも急になる。例えば、そのような特定の大きさの体内用プロテーゼは、非拡張時の径が８ｍｍ、そして非拡張時の長さが３ｃｍである。１２ｍｍまで典型的な拡張を行うと、その長さは約２．７ｃｍになり、螺旋の巻回角とピッチ角もこれに伴って変化する。
　さらに、曲げ可能な各セグメント２５は実質的に同じ程度で開き、各脚２６は拡張により隣接する各脚から遠ざかり、そして、開いた間隔は、体内用プロテーゼの各ワイデイング全体で実質的に均一となることも分るであろう。各接合部２８は、体内用プロテーゼが拡張した後でも螺旋の道筋に沿ってとどまる。これは、一般にはシヌソイド拡張と呼ばれており、本発明は、接合していないステントやより強く接合しているステントのような他のステントの非シヌソイド拡張を起こす傾向のある襞状バルーンについても、これを達成することができ、曲げ可能なセグメントの一方の脚は、片方の脚の動きが抑えられていても、容易に拡張する。』
　
(c)上記(a)の「・・・血管、気管支、器官、泌尿器、直腸、肝臓バイパス、胆管等所望の最終目的のために適合する体内用プロテーゼ・・・」との記載からして、プロテーゼを血管等（管腔）内に挿入した後に所定箇所まで移動させて設置（体内埋設）することが示されているということができるので、引用例には、「埋設可能な管腔移動挿入用の体内用プロテーゼ」が記載されているに等しい。
　
(d)上記(b)の記載からして、引用例には、「波形パターンのセグメント２５が開くことで、体内用プロテーゼ２１が径方向に拡張する」こと、つまり、「波形パターンは、体内用プロテーゼ２１に径方向の（径方向に）拡張性を与えるためのものである」ことが記載されているに等しい。
　
(e)上記(b)の「・・・各セグメントは、接続部２７を介して接合される脚２６を有する・・・各脚２６は拡張により隣接する各脚から遠ざかり・・・」との記載からして、接続部２７が曲がることで各脚２６が遠ざかることが示されているということができるので、引用例には、「曲げ可能な接続部２７」が記載されているに等しい。
　
(f)上記(a)の「本発明のさらに他の目的は・・・体内用プロテーゼおよびその製造方法を提供する・・・」および上記(b)の「・・・体内用プロテーゼ２１は、図示された態様におけるように、金属製またはポリマー製の・・・各接合部２８は、隣接する接続部２７の対を一体に接合する・・・」との記載からして、金属製またはポリマー製の材料を加工することにより、接合部２８を含む体内用プロテーゼ２１を製造することが示されているということができるので、引用例には、「接合部２８は、体内用プロテーゼ２１を形成する金属製またはポリマー製の材料を加工することにより得られる」ことが記載されているに等しい。
　
(g)FIG.１およびFIG.２には、「拡張していない周面を備えた体内用プロテーゼ２１」、「複数の周円ワイデイング２４を有するチューブ状部材であって、周円ワイデイング２４が、３６０度周回し、このチューブ状部材の螺旋軸に沿って互いに連続する、チューブ状部材を含み、このチューブ状部材は、螺旋軸に従う波形の繰り返しパターンを含み、またこの波形パターンは、接続部２７と交互に繰り返す複数の実質的に同じ大きさと形状をしたセグメント２５を含み、複数の周円ワイデイング２４は互いに隣接し、この隣接する周円ワイデイング２４の接続部２７の各々は、隣接する接続部２７を定めるようにそれぞれ互いに隣接し、セグメント２５は、拡張していない周面において互いに閉じた方位を向いて位置し、複数の接合部２８が隣接する周円ワイデイング２４の隣接する接続部２７の一部を互いに接合し、接合部２８はチューブ状部材の長さ方向に沿って存在し、周円ワイデイング２４はそれぞれ、接合部２８のうち少なくとも一個を有し、隣接する接続部２７の残りは互いに結合されていない、体内用プロテーゼ２１」の図示がある。
　
(h)FIG.１およびFIG.３には、「拡張していない周面より大きく、拡張した周面を備えた体内用プロテーゼ２１」、「セグメント２５は、拡張した周面において互いに及び接続部２７に対して開いた方位を向いて位置する」ことの図示がある。
　
　上記(a)ないし(h)の記載事項および図示内容より、引用例には、
「拡張していない管腔移動挿入用の体内用プロテーゼ２１の周面と、この拡張していない周面より大きく、拡張した周面とを備える埋設可能な管腔移動挿入用の体内用プロテーゼ２１であって、
　複数の周円ワインデイング２４を有するチューブ状部材であって、前記周円ワインデイング２４が、３６０度周回し、このチューブ状部材の螺旋軸に沿って互いに連続する、チューブ状部材を含み、
　このチューブ状部材は、前記螺旋軸に従う波形の繰り返しパターンを含み、またこの波形パターンは、前記体内用プロテーゼ２１に径方向に拡張性を与えるため、曲げ可能な接続部２７と交互に繰り返す複数の実質的に同じ大きさと形状をした曲げ可能なセグメント２５を含み、
　前記複数の周円ワインデイング２４は互いに隣接し、この隣接する周円ワインデイング２４の前記曲げ可能な接続部２７の各々は、隣接する曲げ可能な接続部２７を定めるようにそれぞれ互いに隣接し、
　前記曲げ可能なセグメント２５は、前記拡張していない周面において互いに閉じた方位を向いて位置し、前記拡張した周面において互いに及び前記曲げ可能な接続部２７に対して開いた方位を向いて位置し、
　複数の接合部２８が前記隣接する周円ワインデイング２４の隣接する曲げ可能な接続部２７の一部を互いに接合し、前記接合部２８はチューブ状部材の長さ方向に沿って存在し、前記周円ワインデイング２４はそれぞれ、前記接合部２８のうち少なくとも一個を有し、前記隣接する曲げ可能な接続部２７の残りは互いに結合されず、
　前記接合部２８は、前記体内用プロテーゼ２１を形成する金属製またはポリマー製の材料を加工することにより得られる、体内用プロテーゼ２１。」の発明が開示されている。
　
(2-3)対比・判断  
　本願補正発明と引用例記載の発明とを対比する。
○引用例記載の発明の「管腔移動挿入用の体内用プロテーゼ２１の周面」、「拡張した」、「埋設可能な管腔移動挿入用の」、「周円ワインデイング２４」、「接続部２７」、「接合部２８」、「セグメント２５」は、　
　本願補正発明の「管腔移動挿入用の周面」、「展開され拡張した」、「埋設可能な管腔移動」、「真円形螺旋セクション」、「接続部」、「ブリッジ接合部」、「セグメント」にそれぞれ相当する。
　
○本願補正発明の「曲げ接合部の一部を互いに接合し」の「曲げ接合部」と、同「曲げ可能な接合部の残りは互いに結合されず」の「曲げ可能な接合部」は、共に誤記であって、正しくは「曲げ可能な接続部」であると解されることから、
　引用例記載の発明の「曲げ可能な接続部２７の一部を互いに接合し」と「曲げ可能な接続部２７の残りは互いに結合されず」は、本願補正発明の「曲げ接合部（曲げ可能な接続部）の一部を互いに接合し」と「曲げ可能な接合部（曲げ可能な接続部）の残りは互いに結合されず」に相当する。
　
○引用例記載の発明の「接合部２８（ブリッジ接合部）は、体内用プロテーゼ２１を形成する金属製またはポリマー製の材料を加工することにより得られる」ことと、本願補正発明の「ブリッジ接合部は、内視鏡手術用プロテーゼを形成する金属製またはポリマー製のチューブからパターン付けされた部分を取り除くことにより得られる」こととは、「ブリッジ接合部は、体内用プロテーゼを形成する金属製またはポリマー製の材料を加工することにより得られる」という点で共通する。
　
○引用例記載の発明の「体内用プロテーゼ２１」と本願補正発明の「内視鏡手術用プロテーゼ」とは、「体内用プロテーゼ」という点で共通する。
　
　上記より、引用例記載の発明は、
「拡張していない管腔移動挿入用の周面と、この拡張していない周面より大きく、展開され拡張した周面とを備える埋設可能な管腔移動体内用プロテーゼであって、
　複数の真円形螺旋セクションを有するチューブ状部材であって、前記螺旋セクションが、３６０度周回し、このチューブ状部材の螺旋軸に沿って互いに連続する、チューブ状部材を含み、
　このチューブ状部材は、前記螺旋軸に従う波形の繰り返しパターンを含み、またこの波形パターンは、前記体内用プロテーゼに径方向に拡張性を与えるため、曲げ可能な接続部と交互に繰り返す複数の実質的に同じ大きさと形状をした曲げ可能なセグメントを含み、
　前記複数の真円形螺旋セクションは互いに隣接し、この隣接する真円形螺旋セクションの前記曲げ可能な接続部の各々は、隣接する曲げ可能な接続部を定めるようにそれぞれ互いに隣接し、
　前記曲げ可能なセグメントは、前記拡張していない周面において互いに閉じた方位を向いて位置し、前記拡張した周面において互いに及び前記曲げ可能な接続部に対して開いた方位を向いて位置し、
　複数のブリッジ接合部が前記隣接する真円形螺旋セクションの隣接する曲げ接合部（曲げ可能な接続部）の一部を互いに接合し、前記ブリッジ接合部はチューブ状部材の長さ方向に沿って存在し、前記真円形螺旋セクションはそれぞれ、前記ブリッジ接合部のうち少なくとも一個を有し、前記隣接する曲げ可能な接合部（曲げ可能な接続部）の残りは互いに結合されず、
　前記ブリッジ接合部は、体内用プロテーゼを形成する金属製またはポリマー製の材料を加工することにより得られる、体内用プロテーゼ。」に相当し、この点において両者は一致し、以下の点で相違している。
　
◇相違点１
  本願補正発明では、体内用プロテーゼについて、「内視鏡手術用プロテーゼ」であるのに対して、
　引用例記載の発明では、体内用プロテーゼであるものの、上記「内視鏡手術用プロテーゼ」であるかどうか明らかでない点。
　
◇相違点２
　本願補正発明では、体内用プロテーゼについて、「チューブ状部材は、多孔性を有する表面または非血栓剤で覆われており」となっているのに対して、
　引用例記載の発明では、体内用プロテーゼであるものの、上記「チューブ状部材は・・・非血栓剤で覆われており」となっているかどうか明らかでない点。
　
◇相違点３
　本願補正発明では、体内用プロテーゼについて、「ブリッジ接合部は、内視鏡手術用プロテーゼを形成する金属製またはポリマー製のチューブからパターン付けされた部分を取り除くことにより得られる」のに対して、
　引用例記載の発明では、体内用プロテーゼであって「ブリッジ接合部は、体内用プロテーゼを形成する金属製またはポリマー製の材料を加工することにより得られる」ものの、上記「ブリッジ接合部は・・・取り除くことにより得られる」かどうか明らかでない点。
　
　上記各相違点について検討する。
◆相違点１について
　一般に、体内用プロテーゼについて、これを内視鏡手術でもって体内に埋設すること、つまり、「内視鏡手術用プロテーゼ」にすることは、本願優先権主張日前に周知の事項（例えば、拒絶査定において引用した特開平２−１８９１４５号公報、同米国特許第４９９４０６６号明細書参照）である。
　そうすると、引用例記載の発明の「体内用プロテーゼ」について、上記周知の事項と同様に、「内視鏡手術用プロテーゼ」にすることは、当業者であれば容易に想到し得ることである。
　したがって、相違点１に係る本願補正発明の発明特定事項とすることは、当業者であれば引用例記載の発明および本願優先権主張日前に周知の事項に基いて容易になし得ることである。
　
◆相違点２について
　一般に、体内用プロテーゼについて、チューブ状部材の表面を非血栓剤で覆うことは、本願優先権主張日前に周知の事項（例えば、特開平４−１２６１３９号公報、特開平８−６６４６９号公報参照）である。
　そうすると、引用例記載の発明の「体内用プロテーゼ」について、上記周知の事項と同様に、チューブ状部材の表面を非血栓剤で覆うこと、つまり、「チューブ状部材は、多孔性を有する表面または非血栓剤で覆われており」となるようにすることは、当業者であれば容易に想到し得ることである。
　したがって、相違点２に係る本願補正発明の発明特定事項とすることは、当業者であれば引用例記載の発明および本願優先権主張日前に周知の事項に基いて容易になし得ることである。
　
◆相違点３について
　一般に、体内用プロテーゼについて、「ブリッジ接合部は、体内用プロテーゼを形成する金属製またはポリマー製のチューブからパターン付けされた部分を取り除くことにより得られる」ようにすることは、本願優先権主張日前に周知の事項（例えば、特開平８−２０６２２６号公報の特に【０００２】、拒絶査定において引用した欧州特許出願公開第７９００４１号明細書の特にFig.６参照）である。
　そうすると、上記◆相違点１についてで検討したように、引用例記載の発明において、体内用プロテーゼについて、「内視鏡手術用プロテーゼ」にする際、上記周知の事項と同様に、「ブリッジ接合部は、体内用プロテーゼ（内視鏡手術用プロテーゼ）を形成する金属製またはポリマー製の材料を加工することにより得られる」ことを、「ブリッジ接合部は、体内用プロテーゼ（内視鏡手術用プロテーゼ）を形成する金属製またはポリマー製のチューブからパターン付けされた部分を取り除くことにより得られる」ようにするかどうかは、当業者であれば適宜決定する設計事項である。
　したがって、相違点３に係る本願補正発明の発明特定事項とすることは、当業者であれば引用例記載の発明および本願優先権主張日前に周知の事項に基いて容易になし得ることである。
　
　また、本願補正発明の作用効果は、当業者であれば引用例記載の発明および本願優先権主張日前に周知の事項に基いて十分に予測し得ることである。
　
　よって、本願補正発明は、引用例記載の発明および本願優先権主張日前に周知の事項に基いて当業者が容易に発明をすることができたものである。
　
(2-4)まとめ
　上記からして、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について  
(3-1)本願発明  
　本件補正は上記のとおり却下されたので、本願の請求項１に係る発明（以下、「本願発明」という。）は、平成１９年１１月１５日付け手続補正書の特許請求の範囲の請求項１に記載された以下のとおり特定されるものである。 
「拡張していない管腔移動挿入用の周面と、この拡張していない周面より大きく、展開され拡張した周面とを備える埋設可能な管腔移動内視鏡手術用プロテーゼであって、
　複数の真円形螺旋セクションを有するチューブ状部材であって、前記螺旋セクションが、３６０度周回し、このチューブ状部材の螺旋軸に沿って互いに連続する、チューブ状部材を含み、
　このチューブ状部材は、前記螺旋軸に従う波形の繰り返しパターンを含み、またこの波形パターンは、前記内視鏡手術用プロテーゼに径方向に拡張性を与えるため、曲げ可能な接続部と交互に繰り返す複数の実質的に同じ大きさと形状をした曲げ可能なセグメントを含み、
　前記複数の真円形螺旋セクションは互いに隣接し、この隣接する真円形螺旋セクションの前記曲げ可能な接続部の各々は、隣接する曲げ可能な接続部を定めるようにそれぞれ互いに隣接し、
　前記曲げ可能なセグメントは、前記拡張していない周面において互いに閉じた方位を向いて位置し、前記拡張した周面において互いに及び前記曲げ可能な接続部に対して開いた方位を向いて位置し、
　複数のブリッジ接合部が前記隣接する真円形螺旋セクションの隣接する曲げ接合部の一部を互いに接合し、前記ブリッジ接合部はチューブ状部材の長さ方向に沿って存在し、前記真円形螺旋セクションはそれぞれ、前記ブリッジ接合部のうち少なくとも一個を有し、前記隣接する曲げ可能な接合部の残りは互いに結合されず、
　前記ブリッジ接合部は、前記内視鏡手術用プロテーゼを形成する金属製またはポリマー製のチューブからパターン付けされた部分を取り除くことにより得られる、内視鏡手術用プロテーゼ。」
　
(3-2)引用例の記載事項  
　原査定の拒絶理由で引用した引用例の記載事項は、上記２．(2-2)で示したとおりである。  
 　  
(3-3)対比・判断  
　上記２．(2-1)で示したように、補正事項は、請求項１に記載した発明を特定するために必要な事項に限定事項を付加するものであることから、本願発明は、本願補正発明を包含している。 
　そうすると、本願補正発明が、上記２．(2-3)で示したように、引用例記載の発明および本願優先権主張日前に周知の事項に基いて当業者が容易に発明をすることができたものであるので、本願補正発明を包含する本願発明も同じく、引用例記載の発明および本願優先権主張日前に周知の事項に基づいて当業者が容易に発明をすることができたものである。 
　
(3-4)むすび  
　したがって、本願発明は、引用例記載の発明および本願優先権主張日前に周知の事項に基いて当業者が容易に発明をすることができたものであるので、特許法第２９条第２項の規定により特許を受けることができない。  
　それゆえ、本願は、特許請求の範囲の請求項２ないし１０に係る発明について、検討するまでもなく、拒絶すべきものである。
　よって、結論のとおり審決する。